(57)【特許請求の範囲】
【請求項１】
既設枠又は前記既設枠に取り付けられた下地材からなる基準枠と、
前記基準枠の内側に設けられた新設枠と、
前記基準枠と前記新設枠との隙間に挿入されたスペーサーと、を有し、
前記スペーサーは、
前記基準枠と隣接スペーサーとに挟まれた状態で該基準枠と該隣接スペーサーに接触し、該基準枠及び該隣接スペーサーとの接触時に異種金属接触腐食しない素材からなる基準枠側端部スペーサーと、
前記新設枠と隣接スペーサーとに挟まれた状態で該新設枠と該隣接スペーサーに接触し、該新設枠及び該隣接スペーサーとの接触時に異種金属接触腐食しない素材からなる新設枠側端部スペーサーと、
前記基準枠側端部スペーサーと前記新設枠側端部スペーサーの間に位置する金属製の中央部スペーサーと、を備えることを特徴とする建具。
【請求項２】
請求項１に記載の建具であって、
前記スペーサーを介して前記基準枠と前記新設枠を固定する固定具を有し、
前記固定具による前記基準枠と前記新設枠の拘束箇所以外に他の拘束箇所を備えることを特徴とする建具。
【請求項３】
請求項２に記載の建具であって、
前記既設枠又は前記下地材と前記新設枠とを連結する連結金具を備え、
前記他の拘束箇所は、前記連結金具による前記基準枠と前記新設枠の拘束箇所であることを特徴とする建具。
【請求項４】
請求項２に記載の建具であって、
前記スペーサーを介して前記基準枠と前記新設枠を固定する前記固定具とは異なる他の固定具を有し、
前記他の拘束箇所は、前記他の固定具による前記基準枠と前記新設枠の拘束箇所であることを特徴とする建具。
【請求項５】
請求項４に記載の建具であって、
前記スペーサーは切り欠きを備え、
前記固定具及び前記他の固定具は、前記切り欠きを貫通していることを特徴とする建具。
【請求項６】
請求項４に記載の建具であって、
前記スペーサーは切り欠き及び穴部を備え、
前記固定具は、前記切り欠きを貫通し、
前記他の固定具は、前記穴部を貫通していることを特徴とする建具。
【請求項７】
請求項２に記載の建具であって、
前記既設枠又は前記下地材と前記新設枠とにそれぞれ設けられた係合部であって、該係合部が設けられている部材が火災発生時に熱伸びした際に互いに係合する係合部を備え、
前記他の拘束箇所は、前記係合部による前記基準枠と前記新設枠の拘束箇所であることを特徴とする建具。
【請求項８】
既設枠又は前記既設枠に取り付けられた下地材からなる金属製の基準枠と、
前記基準枠の内側に設けられた金属製の新設枠と、
前記基準枠と前記新設枠との隙間に挿入されたスペーサーと、を有し、
前記スペーサーは、前記基準枠及び前記新設枠のうちの一方枠に接触する樹脂製のスペーサーと、他方枠に接触する金属製のスペーサーと、を備え、
前記金属製のスペーサーは、前記他方枠と同一素材を有することを特徴とする建具。
【発明の詳細な説明】
【技術分野】
【０００１】
本発明は、改装サッシ等の建具に関する。
【背景技術】
【０００２】
既設の枠と障子から成る建具から障子を取り外してできた開口部に新設の建具ユニットを配設することにより形成される改装サッシ等の建具は、既によく知られている。かかる建具は、残存した既設枠又は当該既設枠に取り付けられた下地材からなる基準枠と、当該基準枠の内側に設けられた新設枠と、当該基準枠と当該新設枠との隙間の間隔を調整、保持するために挿入されたスペーサーと、を有している。
【先行技術文献】
【特許文献】
【０００３】
【特許文献１】特許第５３２３７６４号公報
【特許文献２】特開２０１５−９４１７１号公報
【発明の概要】
【発明が解決しようとする課題】
【０００４】
改装サッシ等の建具は、既設枠や躯体が経年変化により変形、劣化が生じている場合が多いので複数のスペーサーを重ね合わせて使用する。スペーサーの材質によっては異種金属接触腐食を避けるために薄い樹脂が用いられるが、火災が生じた際に、スペーサー自体が発火したり火元からのスペーサーへの引火が生じたりする場合がある。また、火炎の熱によりスペーサーが溶融して消失し、基準枠と新設枠との間に火炎の通り道となる隙間が発生する場合がある。このようにスペーサーが消失すると新設枠に熱変形が生じて隙間が増大する。
【０００５】
一方で、スペーサーの材質によってはスチール、ステンレス、アルミ等の場合、当該スペーサーに接触する部材の材質との関係で異種金属接触腐食が生ずる可能性がある。
【０００６】
本発明は、かかる課題に鑑みてなされたものであり、その目的とするところは、スペーサーの異種金属接触腐食を防止しつつ、建具の防火性能を向上させることにある。
【課題を解決するための手段】
【０００７】
かかる目的を達成するために本発明の建具は、既設枠又は前記既設枠に取り付けられた下地材からなる基準枠と、
前記基準枠の内側に設けられた新設枠と、
前記基準枠と前記新設枠との隙間に挿入されたスペーサーと、を有し、
前記スペーサーは、
前記基準枠と隣接スペーサーとに挟まれた状態で該基準枠と該隣接スペーサーに接触し、該基準枠及び該隣接スペーサーとの接触時に異種金属接触腐食しない素材からなる基準枠側端部スペーサーと、
前記新設枠と隣接スペーサーとに挟まれた状態で該新設枠と該隣接スペーサーに接触し、該新設枠及び該隣接スペーサーとの接触時に異種金属接触腐食しない素材からなる新設枠側端部スペーサーと、
前記基準枠側端部スペーサーと前記新設枠側端部スペーサーの間に位置する金属製の中央部スペーサーと、を備えることを特徴とする建具である。
【０００８】
このような建具によれば、基準枠側端部スペーサー及び新設枠側端部スペーサーを異種金属接触腐食しない素材からなるスペーサーとしたため、スペーサーの異種金属接触腐食を防止することができる。また、中央部スペーサーを金属製としたため、建具の防火性能を向上させることが可能となる。
【０００９】
かかる建具であって、
前記スペーサーを介して前記基準枠と前記新設枠を固定する固定具を有し、
前記固定具による前記基準枠と前記新設枠の拘束箇所以外に他の拘束箇所を備えることが望ましい。
【００１０】
このような建具によれば、基準枠と新設枠の相対的な移動自由度を減少させることができる。そのため、反りやねじれなどの複合的な変形が建具に生じにくくなり、火炎の通り道となる隙間の発生を抑えることが可能となる。
【００１１】
かかる建具であって、
前記既設枠又は前記下地材と前記新設枠とを連結する連結金具を備え、
前記他の拘束箇所は、前記連結金具による前記基準枠と前記新設枠の拘束箇所であることが望ましい。
【００１２】
このような建具によれば、連結金具の取り付けにより基準枠と新設枠の相対的な移動自由度を減少させることができる。そのため、反りやねじれなどの複合的な変形が建具に生じにくくなり、火炎の通り道となる隙間の発生を抑えることが可能となる。
【００１３】
かかる建具であって、
前記スペーサーを介して前記基準枠と前記新設枠を固定する前記固定具とは異なる他の固定具を有し、
前記他の拘束箇所は、前記他の固定具による前記基準枠と前記新設枠の拘束箇所であることが望ましい。
【００１４】
このような建具によれば、他の固定具の取り付けにより基準枠と新設枠の相対的な移動自由度を減少させることができる。そのため、反りやねじれなどの複合的な変形が建具に生じにくくなり、火炎の通り道となる隙間の発生を抑えることが可能となる。
【００１５】
かかる建具であって、
前記スペーサーは切り欠きを備え、
前記固定具及び前記他の固定具は、前記切り欠きを貫通していることが望ましい。
【００１６】
このような建具によれば、施工時のスペーサーの取付け工程が簡便になる。
【００１７】
かかる建具であって、
前記スペーサーは切り欠き及び穴部を備え、
前記固定具は、前記切り欠きを貫通し、
前記他の固定具は、前記穴部を貫通していることが望ましい。
【００１８】
このような建具によれば、熱変形が生じてもスペーサーの落下を防止することが可能となる。
【００１９】
かかる建具であって、
前記既設枠又は前記下地材と前記新設枠とにそれぞれ設けられた係合部であって、該係合部が設けられている部材が火災発生時に熱伸びした際に互いに係合する係合部を備え、
前記他の拘束箇所は、前記係合部による前記基準枠と前記新設枠の拘束箇所であることが望ましい。
【００２０】
このような建具によれば、係合部の設置により基準枠と新設枠の相対的な移動自由度を減少させることができる。そのため、反りやねじれなどの複合的な変形が建具に生じにくくなり、火炎の通り道となる隙間の発生を抑えることが可能となる。
【００２１】
また、本発明の建具は、既設枠又は前記既設枠に取り付けられた下地材からなる金属製の基準枠と、
前記基準枠の内側に設けられた金属製の新設枠と、
前記基準枠と前記新設枠との隙間に挿入されたスペーサーと、を有し、
前記スペーサーは、前記基準枠及び前記新設枠のうちの一方枠に接触する樹脂製のスペーサーと、他方枠に接触する金属製のスペーサーと、を備え、
前記金属製のスペーサーは、前記他方枠と同一素材を有することを特徴とする建具である。
【００２２】
このような建具によれば、他方枠と金属製のスペーサーとは、金属同士の接触となるものの、双方を同一素材としているため、異種金属接触腐食が生ずることを防止することが可能となる。また、スペーサーを全て樹脂製とするのではなく、一部を金属製のスペーサーとしたため、建具の防火性能を向上させることが可能となる。
【発明の効果】
【００２３】
本発明によれば、スペーサーの異種金属接触腐食を防止しつつ、建具の防火性能を向上させることができる。
【図面の簡単な説明】
【００２４】
【図１】引き違い窓１の縦断面図である。
【図２】引き違い窓１の横断面図である。
【図３】第一実施形態に係るスペーサー３０及びその周辺の構成を示した断面図である。
【図４】第一実施形態に係るスペーサー３０を示した平面図である。
【図５】従来例の問題点を説明するための第一説明断面図である。
【図６】従来例の問題点を説明するための第二説明断面図である。
【図７】従来例の問題点を説明するための第三説明断面図である。
【図８】従来例の問題点を説明するための第四説明断面図である。
【図９】下地材側端部スペーサー３２及び新設縦枠側端部スペーサー３３の消失後、新設縦枠２１の熱伸びにより隙間が埋まった様子を示した断面図である。
【図１０】第二実施形態に係るスペーサー３０及びその周辺の構成を示した断面図である。
【図１１】第二実施形態に係るスペーサー３０を示した平面図である。
【図１２】第三実施形態に係るスペーサー３０及びその周辺の構成を示した断面図である。
【図１３】第三実施形態の変形例に係るスペーサー３０及びその周辺の構成を示した断面図である。
【図１４】第三実施形態の変形例に係るスペーサー３０を示した平面図である。
【図１５】第四実施形態に係るスペーサー３０及びその周辺の構成を示した断面図である。
【発明を実施するための形態】
【００２５】
＝＝＝本実施の形態に係る引き違い窓１について＝＝＝
本実施の形態に係る建具（本実施の形態においては、引き違い窓１）について、図１及び図２を用いて説明する。
【００２６】
なお、以下の説明においては、建物等に取り付けられた状態の引き違い窓１を室内側から見たときに、上下となる方向を上下方向、左右となる方向を左右方向、室内外方向である奥行き方向を見込み方向として示す。引き違い窓１の各部位であっても、また、引き違い窓１を構成する各部材については単体の状態であっても、建物等に取り付けられた状態にて上下方向、左右方向、見込み方向となる方向にて方向を特定して説明する。
【００２７】
引き違い窓１は、改修サッシであり、既設枠体７０（既設枠に相当）と、下地材７４と、改装用窓ユニット１０を有する。また、改装用窓ユニット１０は、既設の引き違い障子を外して導入される新設のユニットであり、新設枠体２０（新設枠に相当）と、スペーサー３０と、新設障子６０を有する。
【００２８】
本実施の形態に係る引き違い窓１については、以下のようにして、改修が行われる。先ず、既設の引き違い窓から既設の引き違い障子が取り外される。次に、残存した既設枠体７０又は当該既設枠体７０に取り付けられた下地材７４からなる部材（当該部材を、便宜上、基準枠と呼ぶ）の内側に新設枠体２０を設置する。この時、基準枠と新設枠体２０との隙間の必要箇所にスペーサー３０を挿入し、スペーサー３０を介して基準枠と新設枠体２０を固定具の一例としてのネジで固定する。そして、最終的に、新設枠体２０に対して新設障子６０を設置する。
【００２９】
なお、本実施の形態においては、既設枠体７０に下地材７４を取り付けてから、新設枠体２０を設置するので、基準枠は下地材７４となる。ただし、下地材７４を取り付けることなく、新設枠体２０を設置する場合もある（この場合には、基準枠は既設枠体７０となる）。
【００３０】
既設枠体７０は、既設の引き違い窓の非鉄金属（アルミニウム合金）製枠体であり、左右の既設縦枠７１と既設上枠７２と既設下枠７３を備えている。そして、既設枠体７０は、これら４つの枠体が矩形状に枠組みされて、全体として開口を形成している。既設縦枠７１は、上下方向に延びた長尺状の部材であり、既設上枠７２と既設下枠７３は、左右方向に延びた長尺状の部材である。
【００３１】
下地材７４は、新設枠体２０を既設枠体７０に取り付けるための金属製の補助金具である。この下地材７４は、本実施の形態においては、アルミニウム合金製であるが、これに限定されるものではなく、例えば、スチール製でもよい。下地材７４は、既設枠体７０よりも内側に位置した状態で、既設枠体７０（具体的には、左右の既設縦枠７１、既設上枠７２、既設下枠７３の各々）にネジ（図１及び図２において不図示。既設縦枠７１について、図３参照）で固定されている。そして、下地材７４は、既設枠体７０と新設枠体２０との間に位置している。
【００３２】
新設枠体２０は、改装用窓ユニット１０の非鉄金属（アルミニウム合金）製枠体であり、左右の新設縦枠２１と新設上枠２２と新設下枠２３を備えている。そして、新設枠体２０は、これら４つの枠体が矩形状に枠組みされて、前述した開口内に収容されている。新設縦枠２１は、上下方向に延びた長尺状の部材であり、新設上枠２２と新設下枠２３は、左右方向に延びた長尺状の部材である。
【００３３】
そのため、図２に示すように、新設縦枠２１は、既設縦枠７１（又は、既設縦枠７１にネジ止めされた下地材７４）の左右方向における内側に設けられ、図１に示すように、新設上枠２２は、既設上枠７２（又は、既設上枠７２にネジ止めされた下地材７４）の上下方向における内側（換言すれば、下側）に設けられ、新設下枠２３は、既設下枠７３の上下方向における内側（換言すれば、上側）に設けられている。つまり、新設枠体２０は、基準枠の内側に設けられている。
【００３４】
スペーサー３０は、新設枠体２０（及び新設枠体２０に対して取り付けられる新設障子６０）が所望の位置に設置されるように調整するためのものである。このスペーサー３０は、基準枠（本実施の形態においては、下地材７４）と新設枠体２０との隙間に挿入される薄板であり、短尺でも長尺でもよい。より具体的には、当該スペーサー３０は、既設縦枠７１にネジ止めされた下地材７４と新設縦枠２１との間、及び、既設上枠７２にネジ止めされた下地材７４と新設上枠２２との間にそれぞれ設けられている。なお、スペーサー３０については、後に詳述する。
【００３５】
新設障子６０は、新設枠体２０により形成された前記開口に収容される部材であり、外障子６０ａ及び内障子６０ｂを備える。新設障子６０は、新設枠体２０に対してスライド可能に設けられる。新設障子６０は、框体６２と複層ガラス６４とを有している。
【００３６】
＝＝＝本実施の形態に係るスペーサー３０及びその周辺の構成例について＝＝＝
次に、本実施の形態に係るスペーサー３０及びその周辺の構成例について説明する。
【００３７】
なお、本項では、既設縦枠７１にネジ止めされた下地材７４と新設縦枠２１との間に位置するスペーサー３０とその周辺の構成について述べる。既設上枠７２にネジ止めされた下地材７４と新設上枠２２との間に位置するスペーサー３０とその周辺の構成については、同様の構成を備えているため、説明を省略する。
【００３８】
また、以下では、４つの構成例（第一実施形態乃至第四実施形態）について述べる。図１及び図２に記載されているスペーサー３０及びその周辺の構成は、これらの実施形態のうち第二実施形態に相当するものである。
【００３９】
＜＜＜第一実施形態に係る構成例について＞＞＞
先ず、第一実施形態に係るスペーサー３０及びその周辺の構成例について、図３乃至図９を用いて説明する。
【００４０】
前述した通り、下地材７４は、既設縦枠７１よりも内側に位置した状態で、既設縦枠７１にネジ（下地材固定ネジ７６と呼ぶ）で固定されている。そして、当該下地材７４と新設縦枠２１は左右方向において対向している。スペーサー３０は、下地材７４と新設縦枠２１との間（隙間）に、スペーサー３０の面外方向（換言すれば、法線方向）が左右方向に沿うように挿入されている。なお、本実施の形態においては、スペーサー３０が３つ以上（具体的には、５つ）挿入されている。
【００４１】
スペーサー３０は、図４に示すように、矩形状の部材であり、切り欠き３１を備えている。この切り欠き３１は、その長手方向がスペーサー３０の長辺方向に沿うように設けられている。そして、切り欠き３１の長手方向における一端は、短辺まで達して開口部３１ａとなっており、一方で、他端は、短辺まで達しておらず、行き止まり部３１ｂとなっている。そして、スペーサー３０の長辺方向（切り欠き３１の長手方向）が見込み方向に沿うように、スペーサー３０が下地材７４と新設縦枠２１との間（隙間）に設けられている。
【００４２】
また、下地材７４と新設縦枠２１は、スペーサー３０を介して固定具の一例としてのネジ（貫通ネジ３６と呼ぶ）で固定されており、当該貫通ネジ３６により下地材７４と新設縦枠２１が拘束されている。そして、貫通ネジ３６は、その長手方向が下地材７４から新設縦枠２１に向かう方向（すなわち、左右方向）に沿うように、下地材７４と新設縦枠２１に取り付けられている。また、貫通ネジ３６は、前述した切り欠き３１を貫通した状態で下地材７４と新設縦枠２１を固定している。なお、本実施の形態に係る貫通ネジ３６は、切り欠き３１の行き止まり部３１ｂに位置している。
【００４３】
また、室内側において、新設縦枠２１と既設縦枠７１との間には、カバー材６８（すなわち、意匠材）が設けられている。カバー材６８は、新設縦枠２１と既設縦枠７１の隙間を覆って、スペーサー３０等を室内側から見えなくする役割を果たす。
【００４４】
また、当該カバー材６８は、樹脂製のシール材である気密材６９を支持する支持部材としての役割も果たしている。すなわち、カバー材６８には、気密材支持部６８ａが形成されており、当該気密材支持部６８ａに気密材６９が支持されている。そして、気密材６９は、カバー材６８と既設縦枠７１の双方に接触している。
【００４５】
また、気密材６９は、室内側のみならず室外側にも設けられている。すなわち、新設縦枠２１には、気密材支持部２１ａが形成されており、当該気密材支持部２１ａに気密材６９が支持されている。そして、気密材６９は、新設縦枠２１と既設縦枠７１の双方に接触している。
【００４６】
ところで、従来例に係る引き違い窓１においては、当該スペーサー３０として樹脂製のスペーサーが設けられていた。しかしながら、かかる引き違い窓１には、以下の問題があった。
【００４７】
すなわち、スペーサー３０が樹脂製であるため、火災が生じた際に、スペーサー３０自体が発火したり火元からのスペーサー３０への引火が生じたりする場合があった。また、図５に示すように、火炎の熱によりスペーサー３０が溶融して消失し、下地材７４と新設縦枠２１の間に火炎の通り道となる隙間（図５に示した矢印参照）が発生する場合があった（なお、図５に示すように、火災の際には気密材６９も溶融して消失する）。
【００４８】
また、このような隙間が、新設縦枠２１と新設障子６０の框体６２との間に生ずる場合もあった。すなわち、火災が発生すると、火炎の熱により引き違い窓１の構成部材に熱伸びが発生するが、火炎の位置する位置等により新設縦枠２１と框体６２の熱伸びの度合いが異なる場合が生ずる。そして、新設縦枠２１の方が框体６２よりも熱伸びの度合いが大きい場合には、図６に示すように、新設縦枠２１の方が框体６２よりも下地材７４側へより大きく移動し、新設縦枠２１と框体６２の間に火炎の通り道となる隙間（図６に示した矢印参照）が発生することとなる。
【００４９】
また、スペーサー３０が消失して下地材７４と新設縦枠２１の間に図５に示したような隙間が発生すると、下地材７４と新設縦枠２１が相対的に移動しやすくなる（移動の自由度が大きくなる）。そして、前記構成部材の熱伸びが発生すると、火炎の位置する位置等に起因して場所毎に熱伸びの程度が異なってくるため（例えば、室内で火災が発生し室内側の部材の方が室外側の部材よりも熱伸びが大きい等）、様々な形態の相対移動が生じることとなる。
【００５０】
一例を挙げると、図７に示すように、先ず、上下方向における中央部において新設縦枠２１が下地材７４に対して室外側へ相対移動する現象（すなわち、上部や下部よりも中央部が膨らむ縦反り）が発生する。そして、これに引き続いて、図８に示すように、新設縦枠２１及び新設障子６０からなる新設部分が、左右方向における中央部において膨らむ横反りが発生する。そして、矢印に示すような火炎の通り道となる隙間が生ずる。
【００５１】
かかる例に表されるように、スペーサー３０が消失すると前述した自由度の増加により、反りやねじれなどの複合的な変形が引き違い窓１に生じ得る。そうすると、隙間が発生し、当該隙間が火炎の通り道となってしまう。
【００５２】
これに対し、本実施の形態に係る引き違い窓１においては、図３に示すように、３つ以上のスペーサー３０が挿入されている際に、３つ以上のスペーサー３０は、下地材７４と隣接スペーサーとに挟まれた状態で該下地材７４と該隣接スペーサーに接触し、該下地材７４及び該隣接スペーサーとの接触時に異種金属接触腐食しない素材からなる下地材側端部スペーサー３２（基準枠側端部スペーサーに相当）と、新設縦枠２１と隣接スペーサーとに挟まれた状態で該新設縦枠２１と該隣接スペーサーに接触し、該新設縦枠２１及び該隣接スペーサーとの接触時に異種金属接触腐食しない素材からなる新設縦枠側端部スペーサー３３（新設枠側端部スペーサーに相当）と、下地材側端部スペーサー３２と新設縦枠側端部スペーサー３３の間に位置する金属製の中央部スペーサー３４（本実施の形態においては、３つ設けられている）と、を備えている。
【００５３】
すなわち、本実施の形態においては、３つ以上のスペーサー３０のうちの中央部（中間層）のスペーサー３０（両端に位置するスペーサー３０以外のスペーサー３０）を金属製（本実施の形態においては、ステンレス製）のスペーサー（中央部スペーサー３４）としている。その一方で、両端に位置するスペーサー３０を、当該スペーサー３０に両側で接触する部材の材質との関係で異種金属接触腐食しない素材からなるスペーサー（下地材側端部スペーサー３２、新設縦枠側端部スペーサー３３）としている。
【００５４】
本実施の形態においては、下地材側端部スペーサー３２に接触する部材が、いずれも金属製（下地材７４はアルミニウム合金製で、隣接スペーサーは、中央部スペーサー３４となるため、ステンレス製）であるため、下地材側端部スペーサー３２を樹脂製としている。同様に、新設縦枠側端部スペーサー３３に接触する部材が、いずれも金属製（新設縦枠２１はアルミニウム合金製で、隣接スペーサーは、中央部スペーサー３４となるため、ステンレス製）であるため、新設縦枠側端部スペーサー３３を樹脂製としている。
【００５５】
このように、本実施の形態においては、中央部スペーサー３４を樹脂製でなく金属製としたため、スペーサー３０の発火や引火を適切に抑制することが可能となる。
【００５６】
また、スペーサー３０の溶融による消失が起こりにくくなり、火炎の通り道となる隙間（図５、図６、図８において矢印で示したような隙間）が発生することを適切に抑制することが可能となる。例えば、本実施の形態のように、中央部スペーサー３４以外のスペーサー３０が樹脂製であり、当該樹脂製のスペーサー３０が溶融による消失するとしても、金属製の中央部スペーサー３４が残存すれば、下地材７４と新設縦枠２１の間の生ずる隙間は従来例に比べて僅かとなる。そのため、図９に示すように、当該隙間が新設縦枠２１の熱伸びにより埋まる（なくなる）ことを期待することもできる。
【００５７】
一方で、両端に位置する２つの端部スペーサーを異種金属接触腐食しない素材からなるスペーサー（本実施の形態においては、樹脂製のスペーサー）としたため、スペーサー３０に異種金属接触腐食が生じることを防止することが可能となる。
【００５８】
このように、本実施の形態によれば、スペーサー３０の異種金属接触腐食を防止しつつ、引き違い窓１の防火性能を向上させることが可能となる。
【００５９】
＜＜＜第二乃至第四実施形態に係る構成例について＞＞＞
次に、第二乃至第四実施形態について、図１０乃至図１５を用いて説明する。第二乃至第四実施形態は、第一実施形態と同様、下地材側端部スペーサー３２、新設縦枠側端部スペーサー３３、及び、中央部スペーサー３４を備えている。しかしながら、第一実施形態とは、拘束箇所（拘束点）の数が異なっている。
【００６０】
すなわち、第一実施形態においては、図３に示したとおり、基準枠（下地材７４）と新設縦枠２１はスペーサー３０を介して貫通ネジ３６により固定され、基準枠（下地材７４）及び新設縦枠２１は当該貫通ネジ３６のみによって拘束されていた。すなわち、スペーサー３０を介して互いに対向する基準枠（下地材７４）及び新設縦枠２１について、当該貫通ネジ３６が唯一の拘束箇所であった。
【００６１】
これに対し、第二乃至第四実施形態においては、スペーサー３０を介して互いに対向する基準枠（下地材７４）及び新設縦枠２１について、貫通ネジ３６による当該拘束箇所以外に他の拘束箇所を備えている。
【００６２】
既に説明したとおり、スペーサー３０が消失して下地材７４と新設縦枠２１の間に隙間が発生すると、下地材７４と既設縦枠７１が相対的に移動しやすくなる（移動の自由度が大きくなる）。そして、当該自由度の増加により、反りやねじれなどの複合的な変形が引き違い窓１に生じ得る（図７及び図８参照）。そうすると、隙間が発生し、当該隙間が火炎の通り道となってしまう。
【００６３】
第二乃至第四実施形態は、スペーサー３０の材質の変更に加え、かかる問題の発生に対する対策をさらに強化したものである。つまり、貫通ネジ３６による当該拘束箇所以外に他の拘束箇所を設けることにより、前記移動の自由度を減少させることができる。そのため、反りやねじれなどの複合的な変形が引き違い窓１に生じにくくなり、火炎の通り道となる隙間の発生を抑えることが可能となる。
以下、各実施形態について、具体的に説明する。
【００６４】
＜第二実施形態について＞
第二実施形態に係る引き違い窓１には、図１０に示すように、既設縦枠７１又は下地材７４（本実施の形態においては、既設縦枠７１）と新設縦枠２１とを連結する連結金具４０が設けられている。そして、当該連結金具４０による下地材７４と新設縦枠２１の拘束箇所が前記他の拘束箇所（つまり、２つ目の拘束箇所）となっている。つまり、新設縦枠２１が既設縦枠７１に連結金具４０により連結され、下地材７４が既設縦枠７１に取り付けられているので、新設縦枠２１と下地材７４が拘束されている。
【００６５】
この連結金具４０は、横断面においてＬ字形状を備えた曲げ部材である。また、連結金具４０は、室内側において、一端部が新設縦枠２１に他端部が既設縦枠７１にそれぞれネジで固定されている。なお、当該連結金具４０は、新設縦枠２１（既設縦枠７１）の上端部から下端部に亘って上下方向に連続して設けられた部材である。
【００６６】
なお、第二実施形態に係るスペーサー３０の材質や機能については、第一実施形態と同様であるが、連結金具４０を設けるスペースを確保する関係上、スペーサー３０の見込み方向における長さが第一実施形態よりも短くなっている（図３及び図１０を比較参照）。換言すれば、図４と図１１を比較することにより明らかなとおり、第二実施形態においては、切り欠き３１の長手方向におけるスペーサー３０の長さが第一実施形態よりも短くなっている。そして、第二実施形態においては、第一実施形態とは異なり、切り欠き３１の長手方向がスペーサー３０の短辺方向に沿っている。
【００６７】
第二実施形態によれば、連結金具４０の取り付けにより前述した移動の自由度を減少させることができる。そのため、反りやねじれなどの複合的な変形が建具に生じにくくなり、火炎の通り道となる隙間の発生を抑えることが可能となる。また、連結金具４０は、新設縦枠２１（既設縦枠７１）の上端部から下端部に亘って上下方向に連続して設けられていることにより、新設縦枠２１と既設縦枠７１の間の隙間（火炎の通り道）を塞ぐ役割も果たす。
【００６８】
＜第三実施形態について＞
第三実施形態に係る引き違い窓１には、図１２に示すように、スペーサー３０を介して基準枠（下地材７４）と新設縦枠２１を固定する前記貫通ネジ３６とは異なる他の固定具（本実施の形態においては、ネジ。第二貫通ネジ４２と呼ぶ）が設けられている。そして、当該第二貫通ネジ４２による下地材７４と新設縦枠２１の拘束箇所が前記他の拘束箇所（つまり、２つ目の拘束箇所）となっている。
【００６９】
つまり、下地材７４と新設縦枠２１は、スペーサー３０を介して貫通ネジ３６と第二貫通ネジ４２で固定されており、当該貫通ネジ３６及び第二貫通ネジ４２により下地材７４と新設縦枠２１が拘束されている。そして、貫通ネジ３６及び第二貫通ネジ４２は、その長手方向が下地材７４から新設縦枠２１に向かう方向（すなわち、左右方向）に沿うように、下地材７４と新設縦枠２１に取り付けられている。また、貫通ネジ３６及び第二貫通ネジ４２は、前述した切り欠き３１を互いに異なる場所にて貫通した状態で下地材７４と新設縦枠２１を固定しており、見込み方向において並ぶようにして設けられている。
【００７０】
第三実施形態によれば、第二貫通ネジ４２の取り付けにより前述した移動の自由度を減少させることができる。そのため、反りやねじれなどの複合的な変形が引き違い窓１に生じにくくなり、火炎の通り道となる隙間の発生を抑えることが可能となる。
【００７１】
＜第三実施形態の変形例について＞
第三実施形態の変形例においては、第三実施形態と同様、スペーサー３０を介して基準枠（下地材７４）と新設縦枠２１を固定する貫通ネジ３６とは異なる他の固定具（第二貫通ネジ４２）が設けられ、当該第二貫通ネジ４２による下地材７４と新設縦枠２１の拘束箇所が前記他の拘束箇所（つまり、２つ目の拘束箇所）となっている。
【００７２】
しかしながら、第三実施形態においては、第二貫通ネジ４２が、貫通ネジ３６と同様、切り欠き３１を貫通していたのに対し、変形例においては、図１３及び図１４に示すように、貫通ネジ３６が切り欠き３１を貫通している一方で、第二貫通ネジ４２はスペーサー３０に備えられた穴部４４を貫通している。
【００７３】
つまり、スペーサー３０には、図１４に示すように、切り欠き３１と穴部４４が長辺方向において並ぶように設けられている。そして、貫通ネジ３６及び第二貫通ネジ４２は、貫通ネジ３６が切り欠き３１を第二貫通ネジ４２が穴部４４をそれぞれ貫通した状態で下地材７４と新設縦枠２１を固定しており、見込み方向において並ぶようにして設けられている。
【００７４】
当該変形例においても、第三実施形態と同様、第二貫通ネジ４２の取り付けにより前述した移動の自由度を減少させることができる。そのため、反りやねじれなどの複合的な変形が引き違い窓１に生じにくくなり、火炎の通り道となる隙間の発生を抑えることが可能となる。
【００７５】
また、第三実施形態と変形例とを比較した場合に、変形例の方は、第二貫通ネジ４２が切り欠き３１ではなく穴部４４を貫通している構成から、第二貫通ネジ４２にスペーサー３０の落下を防止する追加の機能を持たせることができる点で優位性を有する。つまり、第三実施形態においては、反りやねじれなどの複合的な変形が引き違い窓１に生じた際に当該変形によりスペーサー３０が落下する可能性があるが、変形例においては、熱変形が生じてもかかる落下を確実に防止することが可能となる。
【００７６】
一方、第三実施形態の方は、穴部４４をスペーサー３０に形成する必要がないため、施工時のスペーサー３０の取付け工程が簡便になる優位性を備える。
【００７７】
＜第四実施形態について＞
第四実施形態に係る引き違い窓１には、図１５に示すように、既設縦枠７１又は下地材７４（本実施の形態においては、既設縦枠７１）と新設縦枠２１とにそれぞれ設けられた係合部５０であって、該係合部５０が設けられている部材（本実施の形態においては、既設縦枠７１及び新設縦枠２１のうちの少なくとも一方）が火災発生時に熱伸びした際に互いに係合する係合部５０を備えている。そして、当該係合部５０による下地材７４と新設縦枠２１の拘束箇所が前記他の拘束箇所（つまり、２つ目の拘束箇所）となっている。つまり、新設縦枠２１の係合部５０と既設縦枠７１の係合部５０が係合し、下地材７４が既設縦枠７１に取り付けられているので、新設縦枠２１と下地材７４が拘束されている。
【００７８】
本実施の形態においては、新設縦枠２１の係合部５０として、新設縦枠２１本体から左右方向に既設縦枠７１（下地材７４）へ向かって突出した新設縦枠突出部５１（ヒレ部）を備えている。また、既設縦枠７１の係合部５０として、既設縦枠７１本体から左右方向に新設縦枠２１へ向かって突出した既設縦枠突出部５２を備えている。そして、新設縦枠突出部５１は既設縦枠突出部５２よりも見込み方向における室内側（内側）に位置し、図１５に示した状態で、新設縦枠突出部５１と既設縦枠突出部５２は、左右方向において一部で重なっている（オーバーラップしている）。
【００７９】
すなわち、図１５は、図１０、図１２、図１３とは異なり、火災が発生したときの様子の一例を表したものである。図１５においては、樹脂製のスペーサー３０が消失し新設縦枠２１の熱伸びが生じている。そして、このような熱伸びが生じた際に、新設縦枠突出部５１が既設縦枠７１へ向かって移動することにより前述したオーバーラップが発生し、当該オーバーラップ部分が係合部５０となる（逆に、火災が発生する前の平常時には、当該オーバーラップは発生していない）。そして、当該係合部５０により下地材７４と新設縦枠２１が拘束されることとなる。このように、「拘束」とは、第二実施形態や第三実施形態のように平常時に拘束が行われる例のみならず、火災が発生して初めて拘束が行われる例も含まれる概念である。
【００８０】
第四実施形態によれば、係合部５０の設置により前述した移動の自由度を減少させることができるため、反りやねじれなどの複合的な変形が引き違い窓１に生じにくくなる。例えば、図７に示したような縦反りが発生しようとした場合には、新設縦枠突出部５１と既設縦枠突出部５２が、オーバーラップ部分にて物理的に干渉して、当該縦反りの発生を未然に防止する。そのため、火炎の通り道となる隙間の発生を抑えることが可能となる。
【００８１】
＝＝＝その他の実施形態＝＝＝
上記の実施形態は、本発明の理解を容易にするためのものであり、本発明を限定して解釈するためのものではない。本発明は、その趣旨を逸脱することなく、変更・改良され得ると共に、本発明には、その等価物が含まれることは言うまでもない。
【００８２】
上記実施の形態においては、窓として、引き違い窓１を例に挙げて説明したが、これに限定されるものではなく、どのような窓であってもよい。例えば、すべり出し窓、開き窓、ＦＩＸ窓であっても構わない。
【００８３】
また、上記実施の形態においては、固定具としてネジを例に挙げて説明したが、これに限定されるものではない。例えば、釘やボルト、リベット等であってもよい。
【００８４】
また、上記実施の形態においては、金属製の基準枠（下地材７４）と金属製の新設枠（新設縦枠２１）との隙間にスペーサー３０が挿入され、当該スペーサー３０として樹脂製の基準枠側端部スペーサー（下地材側端部スペーサー３２）、樹脂製の新設枠側端部スペーサー（新設縦枠側端部スペーサー３３）、及び、金属製の中央部スペーサー３４を設けることとしたが、樹脂製の基準枠側端部スペーサー（下地材側端部スペーサー３２）と樹脂製の新設枠側端部スペーサー（新設縦枠側端部スペーサー３３）のどちらか一方を金属製のスペーサー３４とするような形態であってもよい。ただし、当該金属製のスペーサー３０は、このスペーサー３０と接触する枠（基準枠又は新設枠）と同一素材を有する。
【００８５】
すなわち、当該形態は、樹脂→金属→樹脂という並びではなく、樹脂→金属、又は、金属→樹脂という並びとなる。樹脂製のスペーサーと金属製のスペーサーとが混在している点では、上記実施形態と同様である。
【００８６】
換言すれば、金属製の基準枠（下地材７４）と金属製の新設枠（新設縦枠２１）との隙間に挿入されたスペーサー３０は、基準枠（下地材７４）及び新設枠（新設縦枠２１）のうちの一方枠に接触する樹脂製のスペーサー３０と、他方枠に接触する金属製のスペーサー３０と、を備える。そして、金属製のスペーサー３０は、他方枠と同一素材を有する。
【００８７】
かかる形態によれば、上記実施形態と同様の、作用効果が生じる。すなわち、スペーサー５０を全て樹脂製とするのではなく、一部を金属製のスペーサー３０に置き換えることとしたため、スペーサー３０の発火や引火を適切に抑制することが可能となる。また、火炎の通り道となる隙間（図５、図６、図８において矢印で示したような隙間）が発生することを適切に抑制することが可能となる。
【００８８】
また、上記実施形態とは異なり、金属製の基準枠又は新設枠（すなわち、前記他方枠）と前記金属製のスペーサー３０とは、金属同士の接触となるものの、双方を同一素材としているため、異種金属接触腐食が生ずることを防止することが可能となる。
【００８９】
このように、当該形態においても、スペーサー３０の異種金属接触腐食を防止しつつ、建具の防火性能を向上させることが可能となる。
【符号の説明】
【００９０】
１  引き違い窓
２０  新設枠体、２１  新設縦枠
３０  スペーサー、３１  切り欠き
３２  下地材側端部スペーサー
３３  新設縦枠側端部スペーサー
３４  中央部スペーサー
３６  貫通ネジ、４０  連結金具、
４２  第二貫通ネジ、４４  穴部
５０  係合部、５１  新設縦枠突出部、５２  既設縦枠突出部
６０  新設障子、６２  框体
７０  既設枠体、７１  既設縦枠、７４  下地材
【図１】
0006595376.tif 000002
【図２】
0006595376.tif 000003
【図３】
0006595376.tif 000004
【図４】
0006595376.tif 000005
【図５】
0006595376.tif 000006
【図６】
0006595376.tif 000007
【図７】
0006595376.tif 000008
【図８】
0006595376.tif 000009
【図９】
0006595376.tif 000010
【図１０】
0006595376.tif 000011
【図１１】
0006595376.tif 000012
【図１２】
0006595376.tif 000013
【図１３】
0006595376.tif 000014
【図１４】
0006595376.tif 000015
【図１５】
0006595376.tif 000016